【事件の表示】
　特願２０１４−５１７８０１「光保護組成物」拒絶査定不服審判事件〔平成２５年　１月１０日国際公開、ＷＯ２０１３／００４７７７、平成２６年　８月２５日国内公表、特表２０１４−５２０７８２〕について、次のとおり審決する。
【結　論】
　本件審判の請求は、成り立たない。
【理　由】
第１　手続の経緯
　本願は、２０１２年（平成２４年）７月５日（パリ条約による優先権主張外国庁受理　２０１１年７月７日　フランス（ＦＲ）、２０１１年７月１９日　米国（ＵＳ））を国際出願日とする出願であって、平成２８年２月２５日付けで拒絶理由が通知され、同年６月２９日に意見書及び手続補正書が提出されたが、同年１１月９日付けで拒絶査定（以下「原査定」という。）がなされ、これに対して、平成２９年３月１４日に拒絶査定不服審判の請求がなされたものである。
第２　本願発明
　本願の請求項１ないし２０に係る発明は、平成２８年６月２９日に提出された手続補正書により補正された特許請求の範囲の請求項１ないし２０に記載された事項により特定されるとおりのものと認められるところ、そのうちの請求項１及び１３に係る発明（以下それぞれ「本願発明１」及び「本願発明１３」という。）は、以下のとおりのものである。なお、請求項１３は補正前の請求項８に相当する。
「　　【請求項１】
　バイカリンまたはこれを含有する抽出物、および少なくとも1種のビス-レゾルシニルトリアジン誘導体を含む少なくとも1つのUVA照射フィルター系を含む、局所使用のための光保護組成物。」
「　　【請求項１３】
　皮膚および/もしくは唇ならびに/または毛髪を太陽照射から保護するための、少なくとも1種のビス-レゾルシニルトリアジンを含む少なくとも1つのUVA照射フィルター系と組み合わされる、バイカリンまたはこれを含有する抽出物。」
第３　原査定の拒絶の理由の概要
　原査定の拒絶の理由のうち、請求項１及び１３に係る発明、すなわち補正前の請求項１及び８に係る発明に対する主な拒絶の理由の概要は、以下のとおりである。
１　（新規性）本願の請求項１及び８に係る発明は、その優先日前に日本国内又は外国において頒布された下記の刊行物に記載された発明であるから、特許法第２９条第１項第３号に該当し、特許を受けることができない。
２　（進歩性）本願の請求項１に係る発明は、その優先日前に日本国内又は外国において頒布された刊行物に記載された発明に基いて、その優先日前にその発明の属する技術の分野における通常の知識を有する者が容易に発明をすることができたものであるから、特許法第２９条第２項の規定により特許を受けることができない。
　　　　　　　　　　　　　　　　記
●理由１（新規性）について
・請求項　１、８
・引用文献等　１
●理由２（進歩性）について
・請求項　１
・引用文献等　２、５−８
＜引用文献等一覧＞
１.特開２０１１−０９３８５８号公報
２.特表２００５−５１３０８９号公報
５.特開平１１−０７１２９５号公報（周知技術を示す文献）
６.特開２０００−１３６１２３号公報（周知技術を示す文献）
７.特開昭６３−０８３０１７号公報（周知技術を示す文献）
８.特開昭５５−１２７３０９号公報（周知技術を示す文献）
第４　引用文献の記載及び引用発明
１　引用文献１には、次の事項が記載されている。
（引１−ア）「【０００１】
本発明は、化粧のりを向上させうる化粧料に関するものであって、より詳しくは、コウジ酸および／またはその誘導体と特定のメチレンビス（ヒドロキシフェニル−ベンゾトリアゾール）誘導体を配合することによって、またさらにはシリコーン処理された酸化チタン、酸化亜鉛、シルク末又はナイロン末の少なくとも１種類を併用することによって得られる化粧料を下地製剤として適用することで、メイクアップ時に使用する化粧料、特にファンデーション類の肌へのなじみを良くし、塗りむらを防止する（以下、本願発明において「化粧のり向上」という場合がある）化粧料に関する。」
（引１−イ）「【０００２】
　本出願人らが長年研究を続けてきたコウジ酸類は、美白効果や消炎効果など、種々の優れた特徴をもつ多機能性の素材として知られているところである（特許文献１〜８）。また、メイクアップ分野では、保湿剤としての応用も公知である（特許文献９）。
・・・
【０００７】
　特定のメチレンビス（ヒドロキシフェニル−ベンゾトリアゾール）誘導体とは、好適には２，４−ビス−[{４−（２−エチルヘキシルオキシ）−２−ヒドロキシ}−フェニル]−６−（メトキシフェニル）−１，３，５−トリアジン及び２，２‘−メチレンビス（６−（２Ｈ−ベンゾトリアゾール−２−イル）−４−（１，１，３，３−テトラメチルブチル）フェノール）であり、これらは日焼け止め化粧料として利用されているが（特許文献１１）、本発明のようにコウジ酸類と組合せることによって提供される化粧のり向上用化粧料としての応用例はまだ見出されていない。
・・・
【０００９】
　ファンデーションなどのメイクアップ化粧料を塗布する場合の、いわゆる化粧のりは、肌のコンディションによって変動する。・・・
・・・
【００１１】
このようなことから、個人の肌状態に左右されず、不快感なく一定水準の化粧のりが維持できる化粧料の開発が望まれていた。
・・・
【００１３】
個人の肌の状態を季節変動や環境に依存することなく常に一定に保つことは現実には不可能である。
そこで、本発明者らは、肌状態の多少の変動があったとしても、これに影響を受けない化粧のり向上用化粧料が提供できれば、肌への負担も少なく、快適な使用実感が得られると考え、その素材探索と選択に着手した。
・・・
【００１５】
その結果、コウジ酸又はその配糖体に特定のメチレンビス（ヒドロキシフェニル−ベンゾトリアゾール）誘導体を組合せることにより、またさらには当該組合せにシリコーン処理された酸化チタン、酸化亜鉛、シルク末又はナイロン末を併用することにより所望の効果が得られることを見出し、この知見を元に本発明を完成するに至った。
【００１６】
すなわち、本発明によれば、第一にコウジ酸および／またはその配糖体と特定のメチレンビス（ヒドロキシフェニル−ベンゾトリアゾール）誘導体を配合したことを特徴とする化粧のり向上用化粧料が提供される。  
また第二の発明として、当該化粧料にシリコーン処理された酸化チタン、酸化亜鉛、シルク末又はナイロン末の少なくとも１種を併用した化粧のり向上用化粧料が提供される。」
（引１−ウ）「【００３１】
本発明の化粧料を調製する場合、通常に用いられる種々の公知の機能性成分、例えば、老化防止剤として公知のレチノール、レチノイン酸、美白剤として公知のコウジ酸、アスコルビン酸、クエルセチン、グルタチオン、ハイドロキノン及びこれらの誘導体、縮合型タンニン類、カフェー酸、エラグ酸等のフェノール性化合物、末梢血管拡張剤としてはビタミンＥ、ビタミンＥニコチネート、ニコチン酸、ニコチン酸アミド、ニコチン酸ベンジル等の各種ビタミン類、ショウキョウチンキ、トウガラシチンキ、消炎剤としては副腎皮質ホルモン、ε−アミノカプロン酸、塩化リゾチーム、グリチルリチン、アラントイン等の各種化合物、その他にも胎盤抽出物、甘草抽出物、紫根エキス、乳酸菌培養抽出物などの動植物・微生物由来の各種抽出物等を本発明の効果を損なわない範囲で、その時々の目的に応じて適宜添加して使用することができる。
【００３２】
更に、公知の機能性成分に加え、油脂類などの基剤成分のほか、適宜、公知の保湿剤、防腐剤、酸化防止剤、キレート剤、ｐＨ調製剤、香料、着色剤など種々の添加剤を本発明の目的を損なわない範囲で併用することができる。」
（引１−エ）「【００３９】
処方例
以下に本発明の皮膚外用剤の処方例を示す。処方例中、「適量」とは、全体で１００重量％になる割合を意味する。
・・・
【００４３】
＜処方例４＞乳液状ファンデーション　　　　　　　　　　　　（重量％）
　１．コウジ酸　　　　　　　　　　　　　　　　　　　　　　　２．００
　２．２，４−ビス−[{４−（２−エチルヘキシルオキシ）
　　　−２−ヒドロキシ}−フェニル]−６−（メトキシフェニル）
　　　−１，３，５−トリアジン　　　　　　　　　　　　　　　２．００
　３．メチルポリシロキサン処理酸化チタン　　　　　　　　　　３．００
　４．メチルポリシロキサン処理酸化亜鉛　　　　　　　　　　　７．００
　５．メチルポリシロキサン処理「ナイロン１２−ナイロン６共重合体）
　　　　　　　　　　　　　　　　　　　　　　　　　　　　　　３．５０
　６．メチルポリシロキサン処理シルク末　　　　　　　　　　　０．０４
　７．ヤシ油脂肪酸モノエタノールアミン　　　　　　　　　　　２．００
　８．ステアリン酸　　　　　　　　　　　　　　　　　　　　　０．５０
　９．ミリスチン酸　　　　　　　　　　　　　　　　　　　　　０．５０
１０．アボガド油　　　　　　　　　　　　　　　　　　　　　　４．００
１１．アスコルビン酸　　　　　　　　　　　　　　　　　　　　２．００
１２．パラオキシ安息香酸エステル　　　　　　　　　　　　　　０．２０
１３．ヒアルロン酸ナトリウム　　　　　　　　　　　　　　　　５．００
１４．オウゴンエキス　　　　　　　　　　　　　　　　　　　　０．１４
１５．エデト酸二ナトリウム　　　　　　　　　　　　　　　　　０．０１
１６．精製水　　　　　　　　　　　　　　　　　　　　　　　　適　　量」
２　引用文献１に記載された発明の認定
　（引１−エ）の段落【００３９】の記載よれば、「処方例中、『適量』とは、全体で１００重量％になる割合を意味する」ものであるから、段落【００４３】に記載された処方例４における「精製水　適量」は、残部が精製水であることを意味するものである。
　よって、上記（引１−エ）の処方例４に関する記載から、引用文献１には以下の発明（以下「引用発明１」という。）が記載されている。
「　以下の配合からなる乳液状ファンデーション。
　　　　　　　　　　　　　　　　　　　　　　　　　　　　　　重量％
　１．コウジ酸　　　　　　　　　　　　　　　　　　　　　　　２．００
　２．２，４−ビス−[{４−（２−エチルヘキシルオキシ）
　　　−２−ヒドロキシ}−フェニル]−６−（メトキシフェニル）
　　　−１，３，５−トリアジン　　　　　　　　　　　　　　　２．００
　３．メチルポリシロキサン処理酸化チタン　　　　　　　　　　３．００
　４．メチルポリシロキサン処理酸化亜鉛　　　　　　　　　　　７．００
　５．メチルポリシロキサン処理「ナイロン１２−ナイロン６共重合体）
　　　　　　　　　　　　　　　　　　　　　　　　　　　　　　３．５０
　６．メチルポリシロキサン処理シルク末　　　　　　　　　　　０．０４
　７．ヤシ油脂肪酸モノエタノールアミン　　　　　　　　　　　２．００
　８．ステアリン酸　　　　　　　　　　　　　　　　　　　　　０．５０
　９．ミリスチン酸　　　　　　　　　　　　　　　　　　　　　０．５０
１０．アボガド油　　　　　　　　　　　　　　　　　　　　　　４．００
１１．アスコルビン酸　　　　　　　　　　　　　　　　　　　　２．００
１２．パラオキシ安息香酸エステル　　　　　　　　　　　　　　０．２０
１３．ヒアルロン酸ナトリウム　　　　　　　　　　　　　　　　５．００
１４．オウゴンエキス　　　　　　　　　　　　　　　　　　　　０．１４
１５．エデト酸二ナトリウム　　　　　　　　　　　　　　　　　０．０１
１６．精製水　　　　　　　　　　　　　　　　　　　　　　　　残部」
３　引用文献２には、次の事項が記載されている（下線は当審において付加した。）。
(引２−ア)「【特許請求の範囲】
【請求項１】
　
（ａ）少なくとも１種のビスレゾルシニルトリアジン誘導体、及び
　
（ｂ）少なくとも１種のベンズオキサゾール誘導体
を含んでなる
光−保護化粧品用
調製物。
・・・
【請求項３】
　
ビスレゾルシニルトリアジン誘導体として、２，４−ビス｛［４−（２−エチルヘキシルオキシ）−２−ヒドロキシ］フェニル｝−６−（４−メトキシフェニル）−１，３，５−トリアジンを含んでなる
【請求項４】
　
ベンズオキサゾール誘導体として、２，４−ビス［５−１（ジメチルプロピル）ベンズオキサゾール−２−イル−（４−フェニル）イミノ］−６−（２−エチルヘキシル）イミノ−１，３，５−トリアジンを含んでなる
・・・
【請求項６】
　
少なくとも１種のさらに別のＵＶ−Ａフィルター物質及び／又は少なくとも１種のさらに別のＵＶ−Ｂフィルター物質をさらに含んでなる
（引２−イ）「【技術分野】
【０００１】
　本発明は化粧品用及び皮膚科学的光−保護調製物に関し、特に本発明はＵＶ−Ａ保護性能が向上した化粧品用及び皮膚科学的配合物に関する。」
（引２−ウ）「【００１１】
　純粋なＵＶ−Ａ又はＵＶ−Ｂフィルターの他に、両方の領域に及ぶ物質がある。この群のブロードバンドフィルターには、例えば不斉的に置換されたｓ−トリアジン化合物、例えば２，４−ビス｛［４−（２−エチルヘキシルオキシ）−２−ヒドロキシ］フェニル｝−６−（４−メトキシフェニル）−１，３，５−トリアジン（ＩＮＣＩ：ビスエチルヘキシルオキシフェノールメトキシフェニルトリアジン（ＢｉｓＥｔｈｙｌｈｅｘｙｌｏｘｙｐｈｅｎｏｌ  Ｍｅｔｈｏｘｙｐｈｅｎｙｌ  Ｔｒｉａｚｉｎｅ））、・・・が含まれる。」
（引２−エ）「【発明が解決しようとする課題】
【００１５】
　光−保護フィルター物質は一般に高価なので、且ついくつかの光−保護フィルター物質は比較的高い濃度における化粧品用又は皮膚科学的調製物中への導入が困難でもあるので、本発明の目的は、簡単且つ原価効率の高い方法で、異常に低い濃度の通常のＵＶ−Ａ光−保護フィルター物質を有するにもかかわらず、許容され得るかもしくは高くさえあるＵＶ−Ａ保護性能を達成する調製物に到達することであった。」
（引２−オ）「【課題を解決するための手段】
・・・
【００１８】
　従って本発明は、
（ａ）少なくとも１種のビスレゾルシニルトリアジン誘導体、及び
（ｂ）少なくとも１種のベンズオキサゾール誘導体
の相乗物質組み合わせを含んでなることを特徴とする光−保護化粧品用又は皮膚科学的調製物も提供し、ここでこれらの調製物のＵＶ保護性能、特にＵＶ−Ａ保護性能は超比例的に（ｓｕｐｒａｐｒｏｐｏｒｔｉｏｎａｌｌｙ）向上する。
【００１９】
　驚くべきことに、本発明に従う物質組み合わせは相乗的に、すなわち個別の成分に対して超加算的に作用する。それらはさらなる添加剤なしで光安定性であり、且つＵＶ−Ａ領域内で驚くほど高い保護性能を示す。」
４　引用文献２に記載された発明の認定
　上記（引２−ア）の記載から、引用文献２には以下の発明（以下「引用発明２」という。）が記載されている。
「　（ａ）少なくとも１種のビスレゾルシニルトリアジン誘導体、及び
　（ｂ）少なくとも１種のベンズオキサゾール誘導体
を含んでなる光−保護化粧品用調製物であって、
　前記ビスレゾルシニルトリアジン誘導体として、２，４−ビス｛［４−（２−エチルヘキシルオキシ）−２−ヒドロキシ］フェニル｝−６−（４−メトキシフェニル）−１，３，５−トリアジンを含み、
　前記ベンズオキサゾール誘導体として、２，４−ビス［５−１（ジメチルプロピル）ベンズオキサゾール−２−イル−（４−フェニル）イミノ］−６−（２−エチルヘキシル）イミノ−１，３，５−トリアジンを含み、
　少なくとも１種のさらに別のＵＶ−Ａフィルター物質及び／又は少なくとも１種のさらに別のＵＶ−Ｂフィルター物質をさらに含んでなる、光−保護化粧品用調製物。」
第５　対比・判断
１　新規性について
（１）本願発明１について
ア　本願発明１と引用発明１とを対比する。
（ア）オウゴンエキスは、コガネバナの根（オウゴン）から水やアルコールなどで抽出したエキスであり、主な成分としてバイカリンを含むことは、従来周知であるから、引用発明１の「オウゴンエキス」がバイカリンを含有する抽出物であることは明らかである。
　よって、引用発明１の「オウゴンエキス」は、本願発明１の「バイカリンを含有する抽出物」に相当する。
（イ）本願の発明の詳細な説明には、ビス-レゾルシニルトリアジン誘導体について次の記載がある（下線は当審において付加した。）。
「【００６３】
　
本発明による式(I)を有するビス-レゾルシニルトリアジン誘導体は
【００６４】
　
使用するのに好適な式(I)を有する化合物の例には以下が含まれる
- 
2,4-ビス{[4-(2-エチル-ヘキシルオキシ)-2-ヒドロキシ]-フェニル}-6-(4-メトキシ-フェニル)-1,3,5-トリアジン
- 2,4-ビス{[4-(3-(2-プロピルオキシ)-2-ヒドロキシ-プロピルオキシ)-2-ヒドロキシ]-フェニル}-6-(4-メトキシフェニル)-1,3,5-トリアジン;
- 2,4-ビス{[4-(2-エチル-ヘキシルオキシ)-2-ヒドロキシ]-フェニル}-6-[4-(2-メトキシエチル-カルボキシル)-フェニルアミノ]-1,3,5-トリアジン;
- 2,4-ビス{[4-トリス(トリメチルシロキシ-シリルプロピルオキシ)-2-ヒドロキシ]-フェニル}-6-(4-メトキシフェニル)-1,3,5-トリアジン;
- 2,4-ビス{[4-(2''-メチルプロペニルオキシ)-2-ヒドロキシ]-フェニル}-6-(4-メトキシフェニル)-1,3,5-トリアジン;
- 2,4-ビス{[4-(1',1',1',3',5',5',5'-ヘプタメチルトリシロキシ-2''-メチルプロピルオキシ)-2-ヒドロキシ]-フェニル}-6-(4-メトキシフェニル)-1,3,5-トリアジン。
- 2,4-ビス{[4-(3-(2-プロピルオキシ)-2-ヒドロキシ-プロピルオキシ]-2-ヒドロキシ]-フェニル}-6-[(4-エチルカルボキシル)-フェニルアミノ]-1,3,5-トリアジン;
- 2,4-ビス{[4-(2-エチル-ヘキシルオキシ)-2-ヒドロキシ]-フェニル}-6-(1-メチルピロール-2-イル)-1,3,5-トリアジン。
【００６５】
　
より特定すると、
2,4-ビス{[4-(2-エチル-ヘキシルオキシ)-2-ヒドロキシ]-フェニル}-6-(4-メトキシ-フェニル)-1,3,5-トリアジン
である。
　上記段落【００６３】ないし【００６５】の記載から、本願発明１の「ビス-レゾルシニルトリアジン誘導体」が、「2,4-ビス{[4-(2-エチル-ヘキシルオキシ)-2-ヒドロキシ]-フェニル}-6-(4-メトキシ-フェニル)-1,3,5-トリアジン」を包含することは明らかである。
　そうすると、引用発明１の「２，４−ビス−[{４−（２−エチルヘキシルオキシ）−２−ヒドロキシ}−フェニル]−６−（メトキシフェニル）−１，３，５−トリアジン」は、本願発明１の「少なくとも1種のビス-レゾルシニルトリアジン誘導体」に相当する。
（ウ）乳液状ファンデーションが局所使用のための化粧料組成物であることは明らかであるから、引用発明１の「乳液状ファンデーション」と本願発明１の「局所使用のための光保護組成物」とは、「局所使用のための組成物」である点において共通する。
（エ）そうすると、本願発明１と引用発明１とは、
「　バイカリンを含有する抽出物、および少なくとも1種のビス-レゾルシニルトリアジン誘導体を含む、局所使用のための組成物。」
の発明である点において一致し、次の相違点１及び２において一応相違する。
（相違点１）
　「少なくとも1種のビス-レゾルシニルトリアジン誘導体」が、本願発明１においては、「少なくとも1つのUVA照射フィルター系」を構成するものとして含まれているのに対し、引用発明１においては、そのような特定がなされていない点。
（相違点２）
　「局所使用のための組成物」が、本願発明１においては、「光保護」組成物であるのに対し、引用発明１においては、乳液状ファンデーションであるが、「光保護」についての特定がなされていない点。
イ　上記各相違点について検討する。
（ア）相違点１について
　上記（引１−イ）の「【０００９】
　ファンデーションなどのメイクアップ化粧料を塗布する場合の、いわゆる化粧のりは、肌のコンディションによって変動する。・・・
・・・
【００１１】
このようなことから、個人の肌状態に左右されず、不快感なく一定水準の化粧のりが維持できる化粧料の開発が望まれていた。
・・・
【００１３】
個人の肌の状態を季節変動や環境に依存することなく常に一定に保つことは現実には不可能である。
そこで、本発明者らは、肌状態の多少の変動があったとしても、これに影響を受けない化粧のり向上用化粧料が提供できれば、肌への負担も少なく、快適な使用実感が得られると考え、その素材探索と選択に着手した。
・・・
【００１５】
その結果、コウジ酸又はその配糖体に特定のメチレンビス（ヒドロキシフェニル−ベンゾトリアゾール）誘導体を組合せることにより、またさらには当該組合せにシリコーン処理された酸化チタン、酸化亜鉛、シルク末又はナイロン末を併用することにより所望の効果が得られることを見出し、この知見を元に本発明を完成するに至った。
【００１６】
すなわち、本発明によれば、第一にコウジ酸および／またはその配糖体と特定のメチレンビス（ヒドロキシフェニル−ベンゾトリアゾール）誘導体を配合したことを特徴とする化粧のり向上用化粧料が提供される。」との記載によれば、引用発明１における「２，４−ビス−[{４−（２−エチルヘキシルオキシ）−２−ヒドロキシ}−フェニル]−６−（メトキシフェニル）−１，３，５−トリアジン」は、化粧のりを向上させるための成分として配合されていることが理解できる。
　一方、本願の発明の詳細な説明に「本発明による式(I)を有するビス-レゾルシニルトリアジン誘導体は、それ自体が既知のフィルターである。」（段落【００６３】）との記載があるように、２，４−ビス−[{４−（２−エチルヘキシルオキシ）−２−ヒドロキシ}−フェニル]−６−（メトキシフェニル）−１，３，５−トリアジンをUVAの波長域を含む照射フィルターとして用いることは、従来周知である。
　そして、上記（引１−イ）に、「特定のメチレンビス（ヒドロキシフェニル−ベンゾトリアゾール）誘導体とは、好適には
２，４−ビス−[{４−（２−エチルヘキシルオキシ）−２−ヒドロキシ}−フェニル]−６−（メトキシフェニル）−１，３，５−トリアジン
は日焼け止め化粧料として利用されている
　また、引用発明１における「２，４−ビス−[{４−（２−エチルヘキシルオキシ）−２−ヒドロキシ}−フェニル]−６−（メトキシフェニル）−１，３，５−トリアジン」の配合量は２．００重量％であり、本願の発明の詳細な説明に「式(I)を有するビス-レゾルシニルトリアジン化合物は、通例、本発明によるフィルター組成物中に、組成物の総質量に対して、0.1〜20質量%、より優先的には1〜10質量%、より特定すると2〜8質量%の範囲の濃度で存在する。」（段落【００６６】）と記載された濃度の条件を満たしている。
　そうすると、引用発明１において、「２，４−ビス−[{４−（２−エチルヘキシルオキシ）−２−ヒドロキシ}−フェニル]−６−（メトキシフェニル）−１，３，５−トリアジン」は、UVA照射フィルターとしても機能するものであるといえるから、上記相違点１は、実質的な相違点ではない。
（イ）相違点２について
　化粧料の技術分野において、紫外線遮蔽などの光保護機能は、本願優先日当時、ファンデーションに対して通常求められている機能である（必要であれば、特開２０１０−１９５６９４号公報の段落【０００２】、特開２０１０−１４３８５２号公報の段落【０００３】及び特開２０１０−３７２１１号公報の段落【０００２】参照。）。
　そうすると、引用発明１の乳液状ファンデーションも、通常のファンデーションと同様に光保護機能をも意図したものであるといえるから、上記相違点２は、実質的な相違点ではない。
ウ　小括
　上記イ（ア）及び（イ）で検討したとおり、上記相違点１及び２は、いずれも実質的な相違点ではないから、本願発明１は、引用文献１に記載された発明である。
（２）本願発明１３について
　
ア　上記１（１）アで示したとおり、引用発明１の「オウゴンエキス」がバイカリンを含有する抽出物であることは明らかであるから、引用文献１には「オウゴンエキスに含まれるバイカリン」の発明（以下「引用発明１’」という。）も記載されていると認められる。
イ　そこで、本願発明１３と引用発明１’とを対比すると、両者は「バイカリン」の発明である点において一致し、次の相違点３において一応相違する。
（相違点３）
　「バイカリン」について、本願発明１３においては、「皮膚および/もしくは唇ならびに/または毛髪を太陽照射から保護するための、少なくとも1種のビス-レゾルシニルトリアジンを含む少なくとも1つのUVA照射フィルター系と組み合わされる」と特定されているのに対し、引用発明１’においては、そのような特定がなされていない点。
ウ　上記相違点３について検討する。
　「バイカリン」は特定の構造を有する化合物であることから、上記相違点３に係る本願発明１３の「皮膚および/もしくは唇ならびに/または毛髪を太陽照射から保護するための、少なくとも1種のビス-レゾルシニルトリアジンを含む少なくとも1つのUVA照射フィルター系と組み合わされる」という発明特定事項は、バイカリンの構造や組成を特定するものとは認められない。
　また、上記発明特定事項を、バイカリンの用途を限定するための記載であると解したとしても、一般に、化合物についての用途限定はその化合物の有用性を示しているにすぎず、用途限定のないバイカリンそのものと区別することはできない。
　そうすると、上記相違点３は、実質的な相違点ではないから、本願発明１３は引用文献１に記載された発明である。
２　進歩性について
（１）本願発明１と引用発明２とを対比する。
ア　上記１（１）ア（イ）で示したとおり、本願発明１の「ビス-レゾルシニルトリアジン誘導体」が、「2,4-ビス{[4-(2-エチル-ヘキシルオキシ)-2-ヒドロキシ]-フェニル}-6-(4-メトキシ-フェニル)-1,3,5-トリアジン」を包含することは明らかであるから、引用発明２の「２，４−ビス｛［４−（２−エチルヘキシルオキシ）−２−ヒドロキシ］フェニル｝−６−（４−メトキシフェニル）−１，３，５−トリアジン」は、本願発明１の「少なくとも1種のビス-レゾルシニルトリアジン誘導体」に相当する。
イ　上記（引２−イ）の「本発明は化粧品用及び皮膚科学的光−保護調製物に関し、特に本発明はＵＶ−Ａ保護性能が向上した化粧品用及び皮膚科学的配合物に関する。」との記載から、引用発明２はＵＶ−Ａ保護性能を向上させたものであると認められることろ、上記（引２−ウ）の「純粋なＵＶ−Ａ又はＵＶ−Ｂフィルターの他に、両方の領域に及ぶ物質がある。この群のブロードバンドフィルターには、例えば不斉的に置換されたｓ−トリアジン化合物、例えば２，４−ビス｛［４−（２−エチルヘキシルオキシ）−２−ヒドロキシ］フェニル｝−６−（４−メトキシフェニル）−１，３，５−トリアジン（ＩＮＣＩ：ビスエチルヘキシルオキシフェノールメトキシフェニルトリアジン（ＢｉｓＥｔｈｙｌｈｅｘｙｌｏｘｙｐｈｅｎｏｌ  Ｍｅｔｈｏｘｙｐｈｅｎｙｌ  Ｔｒｉａｚｉｎｅ））、・・・が含まれる。」との記載から、引用発明２は、少なくともＵＶ−Ａフィルターとして２，４−ビス｛［４−（２−エチルヘキシルオキシ）−２−ヒドロキシ］フェニル｝−６−（４−メトキシフェニル）−１，３，５−トリアジンを含んでいるものといえる。
ウ　上記ア及びイを踏まえると、引用発明２において「前記ビスレゾルシニルトリアジン誘導体として、２，４−ビス｛［４−（２−エチルヘキシルオキシ）−２−ヒドロキシ］フェニル｝−６−（４−メトキシフェニル）−１，３，５−トリアジンを含」むことは、本願発明１において「少なくとも1種のビス-レゾルシニルトリアジン誘導体を含む少なくとも1つのUVA照射フィルター系を含む」ことに相当する。
エ　化粧品が局所使用のためのものであることは明らかであるから、引用発明２の「光−保護化粧品用調製物」は、本願発明１の「局所使用のための光保護組成物」に相当する。
オ　そうすると、本願発明１と引用発明２とは、
「　少なくとも1種のビス-レゾルシニルトリアジン誘導体を含む少なくとも1つのUVA照射フィルター系を含む、局所使用のための光保護組成物。」
の発明である点において一致し、次の相違点４において相違する。
（相違点４）
　本願発明１においては、「バイカリンまたはこれを含有する抽出物」を含むのに対し、引用発明１においては、「少なくとも１種のさらに別のＵＶ−Ａフィルター物質及び／又は少なくとも１種のさらに別のＵＶ−Ｂフィルター物質をさらに含」むものの、さらに含むＵＶ−Ａフィルター物質及びＵＶ−Ｂフィルター物質の種類は特定されていない点。
（２）そこで、上記相違点４が容易想到であるかについて検討する。
　化粧品の技術分野において、バイカリン又はバイカリンを含むオウゴン抽出物を紫外線吸収フィルターとして用いることは、例えば、引用文献７及び８に例を見るように、本願優先日当時において周知な事項である。
　そうすると、当業者であれば、引用発明２において、さらに含むＵＶ−Ａフィルター物質又はＵＶ−Ｂフィルター物質としてバイカリン又はバイカリンを含むオウゴン抽出物を選択し、上記相違点４に係る本願発明１の発明特定事項のように構成することは、容易に想到しうることである。
（３）本願発明１の奏する作用効果について
　本願の発明の詳細な説明の段落【０１７２】ないし【０１７４】の記載によれば、本願発明１は、多量のUVAフィルターを使用することなしに、皮膚、唇又は毛髪の早期老化を効果的に抑制することができるという効果（以下「本願効果」という。）を奏するものと認められる。
　そして、本願発明１が上記本願効果を奏するものであることの根拠は、本願の発明の詳細な説明の段落【０１６２】ないし【０１７１】及び【図２】に記載された、DCFH-DA試験によるUVA誘導の酸化ストレスの評価において、ビス-レゾルシニルトリアジン誘導体である2,4-ビス{[4-(2-エチル-ヘキシルオキシ)-2-ヒドロキシ]-フェニル}-6-(4-メトキシ-フェニル)-1,3,5-トリアジンを含む基準フィルターとバイカリンとを組合せた場合に、それぞれを単独で用いた場合よりも弱い蛍光が得られたという結果に基づくものと認められる。
　上記DCFH-DA試験は、細胞内に入ったDCFH-DAが細胞内のエステラーゼにより加水分解されて非蛍光の化合物:DCFHすなわち2,7-ジクロロフルオレッシンになり、DCFHは活性化酸素種(H2O2;OH°)の存在下で速やかに酸化されて強い蛍光を発する化合物:DCFすなわち2,7-ジクロロフルオレセインになり、DCFの蛍光を蛍光分光分析で評価するものであるから、得られた蛍光が弱いという結果は、活性化酸素種によるDCFの酸化量が少なかったことを反映しているものと見ることができる。
　ところで、オウゴン抽出物が有する紫外線吸収とは異なる機能に着目して、紫外線吸収フィルターとともにオウゴン抽出物を化粧品に配合することは、例えば、引用文献５及び６に例を見るように、本願優先日当時において周知な事項であるところ、引用文献６の段落【００１５】及び【００１７】には、オウゴン抽出物を活性酸素除去剤として用いることが記載されている。このように、バイカリンを含むオウゴン抽出物が活性酸素を除去する機能を有することは、本願優先日当時において周知な事項である。
　そうすると、上記本願効果は、バイカリンによる活性酸素を除去する作用が反映されたものと推測されるものであって、引用文献２の記載事項及び本願優先日当時において周知な事項から当業者が予測しうる程度のものである。
　また、本願発明１が奏するその他の効果も、引用文献２の記載事項及び本願優先日当時において周知な事項から当業者が予測しうる程度を超えた、格別なものとは認められない。
（４）小括
　したがって、本願発明１は、引用発明２及び本願優先日当時において周知な事項に基いて、当業者が容易に発明をすることができたものである。
第６　むすび
　以上のとおりであるから、本願発明１は、特許法第２９条第１項第３号に該当し、また、特許法第２９条第２項の規定により特許を受けることができない。
　そして、本願発明１３は、特許法第２９条第１項第３号に該当し、特許を受けることができない。
　したがって、その余の請求項に係る発明について論及するまでもなく、本願は拒絶すべきものである。
　よって、結論のとおり審決する。